(57)【要約】【課題】  同一のコンテンツ情報を配信することにより、ユーザが所持する端末毎に適切な表示内容を表示させることが可能な、ワンセグ放送を利用したコンテンツ配信システム、コンテンツ配信装置、および携帯端末を提供する。【解決手段】  ワンセグ放送を配信するエリアを複数のグループに分類したグループ分類情報、グループごとに設定された表示項目情報、および表示項目ごとの表示内容を取得して複数のワンセグ子局４０−１〜４０−ｎに配信するコンテンツ配信装置１０と、配信された情報をワンセグを利用して放送するワンセグ子局４０−１〜４０−ｎと、放送された情報に基づいて自端末の現在位置情報に該当するグループを特定し、このグループに対応するデータ放送の表示項目を特定し、この表示項目に対応する表示内容を抽出して表示する携帯端末５０−１〜５０−ｎとを有する。【選択図】  図１
2011055274.tif 000002
【特許請求の範囲】
【請求項１】
ワンセグ放送を配信するワンセグ親局としてのコンテンツ配信装置と、このコンテンツ配信装置にネットワークを介して接続された複数のワンセグ子局と、各ワンセグ子局がワンセグ放送を出力するエリア内にあるワンセグ放送に対応した携帯端末とを有するコンテンツ配信システムにおいて、
前記コンテンツ配信装置は、
ワンセグ放送を配信するエリアを複数のグループに分類したグループ分類情報と、前記グループごとに設定された表示対象のデータ放送の項目である表示項目情報と、前記項目ごとの表示内容とを記憶した記憶部と、
前記記憶部から前記グループ分類情報、前記表示項目情報、および前記項目ごとの表示内容を取得し、前記ネットワークを介して前記複数のワンセグ子局に配信する配信部と、
を備え、
前記ワンセグ子局は、
前記コンテンツ配信装置から配信されたグループ分類情報、前記表示項目情報、および前記項目ごとの表示内容を受信して放送電波として出力する電波出力部
を備え、
前記携帯端末は、
自携帯端末の現在位置情報を取得する位置情報取得部と、
前記ワンセグ子局から出力されたグループ分類情報に基づいて前記位置情報取得部で取得した自携帯端末の現在位置情報に該当するグループを特定した後、この特定したグループに対応するデータ放送の表示情報の項目を、前記ワンセグ子局から出力された表示項目情報に基づいて特定し、この特定した表示情報の項目に対応する表示内容を、前記ワンセグ子局から出力された項目ごとの表示内容から抽出するデータ放送内容特定部と、
前記データ放送内容特定部で抽出した表示内容を表示させるための表示情報を生成する表示情報生成部と、
前記表示情報生成部で生成した表示情報を表示する表示部と
を備えることを特徴とするワンセグ放送を利用したコンテンツ配信システム。
【請求項２】
前記コンテンツ配信装置は、前記項目ごとの表示内容として、複数の観測局における環境に関する観測情報を所定時間間隔で取得する観測情報取得部をさらに有し、
前記コンテンツ配信装置の記憶部は、前記表示項目情報において前記デジタル表示情報の項目として前記観測情報の項目を記憶するとともに、前記グループごとに設定された表示対象の観測局を示す表示観測局情報をさらに記憶し、
前記コンテンツ配信装置の配信部は、前記表示観測局情報をさらに取得して前記複数のワンセグ子局に配信し、
前記ワンセグ子局の電波出力部は、前記表示観測局情報をさらに受信して前記放送電波に含めて出力し、
前記携帯端末のデータ放送内容特定部は、前記特定したグループに対応する観測局を前記表示観測局情報から特定し、前記表示情報の項目として特定された観測情報の項目のうち、特定された観測局の観測情報を前記表示内容として抽出する
ことを特徴とする請求項１に記載のワンセグ放送を利用したコンテンツ配信システム。
【請求項３】
前記グループ分類情報は、ワンセグ放送を配信するエリアを有する各ワンセグ子局の識別情報および位置情報を、複数のグループに分類した情報であり、
前記携帯端末のデータ放送内容特定部は、前記ワンセグ子局から出力されたグループ分類情報に基づいて、前記位置情報取得部で取得した自携帯端末の現在位置情報に最も近いワンセグ子局を特定することで該当するグループを特定する
ことを特徴とする請求項１または２に記載のワンセグ放送を利用したコンテンツ配信システム。
【請求項４】
複数のワンセグ子局にネットワークを介して接続され、ワンセグ放送を配信するワンセグ親局としてのコンテンツ配信装置において、
ワンセグ放送を配信するエリアを複数のグループに分類したグループ分類情報と、前記グループごとに設定された表示対象のデータ放送の項目である表示項目情報と、前記項目ごとの表示内容とを記憶した記憶部と、
前記記憶部から前記グループ分類情報、前記表示項目情報、および前記項目ごとの表示内容を取得し、
これらの情報を各前記ワンセグ子局から放送電波として出力することにより当該放送電波を受信可能な携帯端末において自携帯端末の現在位置情報に該当するグループを特定させ、この特定されたグループに対応するデータ放送の表示情報の項目を前記表示項目情報に基づいて特定させ、この特定された表示情報の項目に対応する表示内容を前記項目ごとの表示内容から抽出させ、この表示内容に基づいた表示情報を生成して表示させるために、前記複数のワンセグ子局に配信する配信部と、
を備えることを特徴とするコンテンツ配信装置。
【請求項５】
前記項目ごとの表示内容として、複数の観測局における環境に関する観測情報を所定時間間隔で取得する観測情報取得部をさらに有し、
前記記憶部は、前記表示項目情報において前記デジタル表示情報の項目として前記観測情報の項目を記憶するとともに、前記グループごとに設定された表示対象の観測局を示す表示観測局情報をさらに記憶し、
前記配信部は、前記表示観測局情報をさらに取得して、各前記携帯端末において前記特定したグループに対応する観測局を前記表示観測局情報から特定させ、前記表示情報の項目として特定された観測情報の項目のうち、特定された観測局の観測情報を前記表示内容として抽出させるために、前記複数のワンセグ子局に配信する
ことを特徴とする請求項４に記載のコンテンツ配信装置。
【請求項６】
ワンセグ放送受信可能エリアにあるワンセグ放送に対応した携帯端末において、
自携帯端末の現在位置情報を取得する位置情報取得部と、
ワンセグ放送を配信するワンセグ親局としてのコンテンツ配信装置から、このコンテンツ配信装置にネットワークを介して接続された複数のワンセグ子局を介して出力された、ワンセグ放送を配信するエリアを複数のグループに分類したグループ分類情報と、前記グループごとに設定された表示対象のデータ放送の項目である表示項目情報と、前記項目ごとの表示内容とを取得し、
前記ワンセグ子局から出力されたグループ分類情報に基づいて前記位置情報取得部で取得した自携帯端末の現在位置情報に該当するグループを特定した後、この特定したグループに対応するデータ放送の表示情報の項目を、前記ワンセグ子局から出力された表示項目情報に基づいて特定し、この特定した表示情報の項目に対応する表示内容を、前記ワンセグ子局から出力された項目ごとの表示内容から抽出するデータ放送内容特定部と、
前記データ放送内容特定部で抽出した表示内容を表示させるための表示情報を生成する表示情報生成部と、
前記表示情報生成部で生成した表示情報を表示する表示部と
を備えることを特徴とする携帯端末。
【発明の詳細な説明】
【技術分野】
【０００１】
本発明は、ワンセグ対応端末にコンテンツを表示させる、ワンセグ放送を利用したコンテンツ配信システム、コンテンツ配信装置、および携帯端末に関する。
【背景技術】
【０００２】
放送システムのデジタル化により、放送番組情報に静止画や文字などを多重化して配信し、これらをデータ放送としてＴＶ受信機で表示する多重放送が普及している。
【０００３】
このデータ放送として表示する情報には、気象情報など地域ごとに特化した情報があり、特許文献１では地域毎にデータ放送の表示内容を変える技術が記載されている。
【０００４】
この特許文献１の技術によれば、ＴＶ受信機が設置されている地域毎に特定した情報を出力することができ、ユーザに必要な情報を提供することができる。
【先行技術文献】
【特許文献】
【０００５】
【特許文献１】特許第３０８２８２０号公報
【特許文献２】特開２００６−３５２４６３号公報
【発明の概要】
【発明が解決しようとする課題】
【０００６】
しかし、特許文献１の技術では、郵便番号等により識別された地域ごとに表示内容を変更させることはできるが、ＴＶ受信機ごとに必要な表示項目が異なる場合等、個々のＴＶ受信機ごとに表示内容を設定することができないという問題があった。
【０００７】
一方特許文献２には、ＴＶ受信機毎または視聴するユーザ毎に出力状態を変更する技術が記載されているが、これはコンテンツの表示状態や音声出力状態、あるいはコンテンツ内容の制限等を変更するのみであり、文字等を含むデータ放送の表示内容を制御できるものではなかった。
【０００８】
また、近年は特定のエリアに対しワンセグコンテンツ情報を配信する技術が普及しており、この技術を利用して、配信するエリアごとに特化した映像、音声、データなどの情報、例えば美術館の展示紹介情報や店舗のクーポン情報などを提供することが行われている。
【０００９】
しかし、この技術を利用してエリアごとに配信するコンテンツ情報の内容を変えようとすると、エリアごとに個別にコンテンツ情報を作成する必要があるため、配信するサーバに多大な負荷がかかるという問題があった。
【００１０】
本発明は上記事情に鑑みてなされたものであり、同一のコンテンツ情報を配信することにより、ユーザが所持する端末毎に適切な表示内容を表示させることが可能な、ワンセグ放送を利用したコンテンツ配信システム、コンテンツ配信装置、および携帯端末を提供することを目的とする。
【課題を解決するための手段】
【００１１】
上記目的を達成するための本発明のワンセグ放送を利用したコンテンツ配信システムは、ワンセグ放送を配信するワンセグ親局としてのコンテンツ配信装置と、このコンテンツ配信装置にネットワークを介して接続された複数のワンセグ子局と、各ワンセグ子局がワンセグ放送を出力するエリア内にあるワンセグ放送に対応した携帯端末とを有するコンテンツ配信システムにおいて、前記コンテンツ配信装置は、ワンセグ放送を配信するエリアを複数のグループに分類したグループ分類情報と、前記グループごとに設定された表示対象のデータ放送の項目である表示項目情報と、前記項目ごとの表示内容とを記憶した記憶部と、前記記憶部から前記グループ分類情報、前記表示項目情報、および前記項目ごとの表示内容を取得し、前記ネットワークを介して前記複数のワンセグ子局に配信する配信部とを備え、前記ワンセグ子局は、前記コンテンツ配信装置から配信されたグループ分類情報、前記表示項目情報、および前記項目ごとの表示内容を受信して放送電波として出力する電波出力部を備え、前記携帯端末は、自携帯端末の現在位置情報を取得する位置情報取得部と、前記ワンセグ子局から出力されたグループ分類情報に基づいて前記位置情報取得部で取得した自携帯端末の現在位置情報に該当するグループを特定した後、この特定したグループに対応するデータ放送の表示情報の項目を、前記ワンセグ子局から出力された表示項目情報に基づいて特定し、この特定した表示情報の項目に対応する表示内容を、前記ワンセグ子局から出力された項目ごとの表示内容から抽出するデータ放送内容特定部と、前記データ放送内容特定部で抽出した表示内容を表示させるための表示情報を生成する表示情報生成部と、前記表示情報生成部で生成した表示情報を表示する表示部とを備えることを特徴とする。
【００１２】
また、本発明のコンテンツ配信装置は、複数のワンセグ子局にネットワークを介して接続され、ワンセグ放送を配信するワンセグ親局としてのコンテンツ配信装置において、ワンセグ放送を配信するエリアを複数のグループに分類したグループ分類情報と、前記グループごとに設定された表示対象のデータ放送の項目である表示項目情報と、前記項目ごとの表示内容とを記憶した記憶部と、前記記憶部から前記グループ分類情報、前記表示項目情報、および前記項目ごとの表示内容を取得し、これらの情報を各前記ワンセグ子局から放送電波として出力することにより当該放送電波を受信可能な携帯端末において自携帯端末の現在位置情報に該当するグループを特定させ、この特定されたグループに対応するデータ放送の表示情報の項目を前記表示項目情報に基づいて特定させ、この特定された表示情報の項目に対応する表示内容を前記項目ごとの表示内容から抽出させ、この表示内容に基づいた表示情報を生成して表示させるために、前記複数のワンセグ子局に配信する配信部とを備えることを特徴とする。
【００１３】
また、本発明の携帯端末は、ワンセグ放送受信可能エリアにあるワンセグ放送に対応した携帯端末において、自携帯端末の現在位置情報を取得する位置情報取得部と、ワンセグ放送を配信するワンセグ親局としてのコンテンツ配信装置から、このコンテンツ配信装置にネットワークを介して接続された複数のワンセグ子局を介して出力された、ワンセグ放送を配信するエリアを複数のグループに分類したグループ分類情報と、前記グループごとに設定された表示対象のデータ放送の項目である表示項目情報と、前記項目ごとの表示内容とを取得し、前記ワンセグ子局から出力されたグループ分類情報に基づいて前記位置情報取得部で取得した自携帯端末の現在位置情報に該当するグループを特定した後、この特定したグループに対応するデータ放送の表示情報の項目を、前記ワンセグ子局から出力された表示項目情報に基づいて特定し、この特定した表示情報の項目に対応する表示内容を、前記ワンセグ子局から出力された項目ごとの表示内容から抽出するデータ放送内容特定部と、前記データ放送内容特定部で抽出した表示内容を表示させるための表示情報を生成する表示情報生成部と、前記表示情報生成部で生成した表示情報を表示する表示部とを備えることを特徴とする。
【発明の効果】
【００１４】
本発明のワンセグ放送を利用したコンテンツ配信システム、コンテンツ配信装置、および携帯端末によれば、同一のコンテンツ情報を配信することにより、ユーザが所持する端末毎に適切な表示内容を表示させることができる。
【図面の簡単な説明】
【００１５】
【図１】本発明の一実施形態によるコンテンツ配信システムの構成を示すブロック図である。
【図２】本発明の一実施形態によるコンテンツ配信システムに利用される携帯端末の構成を示すブロック図である。
【図３】本発明の一実施形態によるコンテンツ配信システムの動作を示すシーケンス図である。
【図４】本発明の一実施形態によるコンテンツ配信システムに利用されるコンテンツ配信装置の設定情報記憶部に記憶される、(a)グループ分類情報格納テーブル、(b)表示項目格納テーブル、(c)表示観測局格納デーブル、および(d)お知らせ情報格納テーブルの一例を示す説明図である。
【図５】本発明の一実施形態によるコンテンツ配信システムに利用されるコンテンツ配信装置のデータ放送情報生成部で生成されるデータ放送情報を示す説明図である。
【図６】本発明の一実施形態によるコンテンツ配信システムに利用される携帯端末の表示部に動画コンテンツ情報およびデータ放送が表示された状態を示す画面表示図である。
【図７】本発明の一実施形態によるコンテンツ配信システムに利用される携帯端末の表示部に動画コンテンツ情報およびグループ選択ボタンが表示された状態を示す画面表示図である。
【図８】本発明の一実施形態によるコンテンツ配信システムに利用される携帯端末の表示部に動画コンテンツ情報および静止画情報が表示された状態を示す画面表示図である。
【発明を実施するための形態】
【００１６】
本発明の一実施形態として、特定のエリアに対しワンセグコンテンツ情報を配信するワンセグエリア放送を利用し、ＣＣＴＶ（Closed Circuit Television）監視カメラにより撮影された映像およびエリアごとに特化した防災情報を提供するコンテンツ配信システムについて説明する。
【００１７】
〈一実施形態によるコンテンツ配信システムの構成〉
本実施形態によるワンセグ放送を利用したコンテンツ配信システムの構成を、図１を参照して説明する。
【００１８】
本実施形態によるコンテンツ配信システム１は、ワンセグ放送を配信するワンセグ親局としてのコンテンツ配信装置１０と、コンテンツ配信装置１０に接続された操作端末２０と、コンテンツ配信装置１０にＩＰネットワーク３０を介して接続されたｎ個のワンセグ子局４０−１〜４０−ｎと、各ワンセグ子局４０−１〜４０−ｎから発信されるワンセグ放送を受信可能なエリア内にある携帯端末５０−１〜５０−ｎとから構成される。このワンセグ子局４０−１〜４０−ｎは、それぞれグループ［１］〜［ｎ］として分類されている。
【００１９】
コンテンツ配信装置１０は、データ放送情報管理部１１と、動画情報取得部１２と、エンコード部１３と、ワンセグコンテンツ情報生成部１４と、ＴＳ／ＩＰ変換部１５とを有する。
【００２０】
データ放送情報管理部１１は、データ放送の画面表示を制御するＢＭＬプログラム情報を記憶したＢＭＬプログラム記憶部１１１と、データ放送の表示内容に関する設定情報を外部の操作端末２０から取得する設定情報取得部１１２と、設定情報取得部１１２で取得された設定情報を記憶する設定情報記憶部１１３と、外部の観測局に設置されたテレメータ等から河川に関する観測情報や道路に関する観測情報等の環境に関する情報を取得して記憶する観測情報取得部１１４と、ＢＭＬプログラム記憶部１１１に記憶したＢＭＬプログラムと設定情報記憶部１１３に記憶したグループごとの設定情報と観測情報取得部１１４で取得した観測情報とからワンセグ放送のデータ放送に関するデータ放送情報を生成するデータ放送情報生成部１１５とを有する。
【００２１】
ここで設定情報取得部１１２で取得される設定情報には、ワンセグ放送を配信するエリアを複数のグループに分類したグループ分類情報、これらのグループごとに設定された、表示対象のデジタル表示情報の項目である表示項目情報、これらのグループごとに設定された、表示対象の観測局を示す情報である表示観測局情報、グループごとの警報や注意報などの表示情報であるお知らせ情報、グループごとのデータ放送の背景に用いる背景画像情報等が含まれる。本実施形態においては、グループ分類情報としてワンセグ子局をグループに分類することにより、このワンセグ子局からワンセグ放送の電波を出力するエリアを当該グループに分類するものとする。
【００２２】
また、観測情報取得部１１４で取得される河川に関する観測情報としては、河川における雨量、水位、積雪量、潮位などがあり、道路に関する観測情報としては、道路における雨量、積雪量、風向、風速、気温、路温などがある。
【００２３】
動画情報取得部１２は、ＣＣＴＶ監視カメラにより撮影された、ワンセグで放送するための動画コンテンツ情報を取得する。
【００２４】
エンコード部１３は、動画情報取得部１２で取得された動画コンテンツ情報を、ワンセグ放送で規定された圧縮符号化方式であるＨ２６４方式でエンコードする。
【００２５】
ワンセグコンテンツ情報生成部１４は、データ放送情報生成部１１５で生成されたデータ放送情報およびエンコード部１３でエンコードされた動画コンテンツ情報を、ワンセグ放送で配信するためＭＰＥＧ２−ＴＳフォーマットに変換してワンセグコンテンツ情報を生成する。
【００２６】
ＴＳ／ＩＰ変換部１５は、ワンセグコンテンツ情報生成部１４で生成されたワンセグコンテンツ情報を、ＩＰネットワークに送出するためのフォーマットに変換してＩＰネットワーク３０を介して各ワンセグ子局４０−１〜４０−ｎに配信する。
【００２７】
操作端末２０は、放送する情報を管理する管理者により操作されるものであり、各グループの設定情報を入力して設定情報取得部１１２に送信する。
【００２８】
各ワンセグ子局４０−１〜４０−ｎは、受信部としてのＩＰ／ＴＳ変換装置４１と、ＯＦＤＭ変調器４２と、増幅器４３と、電波出力部としてのアンテナ４４とを有する。
【００２９】
ＩＰ／ＴＳ変換装置４１は、コンテンツ配信装置１０からＩＰネットワーク３０を介して送信されたワンセグコンテンツ情報を受信し、ＭＰＥＧ２−ＴＳフォーマットに変換する。
【００３０】
ＯＦＤＭ変調器４２は、ＩＰ／ＴＳ変換装置４１でＭＰＥＧ２−ＴＳフォーマットに変換されたワンセグコンテンツ情報を、ＯＦＤＭ変調器に設定された周波数、変調方式によりＲＦ信号に変調する。
【００３１】
増幅器４３は、ＯＦＤＭ変調器４２でＲＦ信号に変調されたワンセグコンテンツ情報を、所定の電力で配信するために増幅を行う。
【００３２】
アンテナ４４は、増幅器４３で増幅されたワンセグコンテンツ情報を、各ワンセグ子局のワンセグ放送受信可能エリア内に放送電波として出力する。
【００３３】
各携帯端末５０−１〜５０−ｎの詳細な構成を図２に示す。携帯端末５０−１〜５０−ｎは、各ワンセグ子局４０−１〜４０−ｎから発信されるワンセグ放送を受信可能なエリア内にあり、位置情報取得部としてのＧＰＳ情報取得部５１と、ワンセグコンテンツ情報取得部５２と、データ放送内容特定部５３と、表示情報生成部５４と、表示部５５とを有する。
【００３４】
ＧＰＳ情報取得部５１は、自身の携帯端末５０の現在位置情報を、ＧＰＳ機能を利用して取得する。
【００３５】
ワンセグコンテンツ情報取得部５２は、ユーザにより所定のチャンネル情報に設定されることにより、ワンセグ子局４０のアンテナ４４から出力されたワンセグコンテンツ情報を受信する。
【００３６】
データ放送内容特定部５３は、ワンセグコンテンツ情報取得部５２で取得したワンセグコンテンツ情報内のデータ放送情報から、ＧＰＳ情報取得部５１で取得した自携帯端末５０の現在位置情報に最も近いワンセグ子局４０を特定した後、この特定したワンセグ子局４０が該当するグループのデジタル表示情報の項目を特定し、さらにこの特定したグループおよびデジタル表示情報の項目に対応する観測情報を抽出する。またデータ放送内容特定部５３は、ワンセグコンテンツ情報取得部５２で取得したワンセグコンテンツ情報内のデータ放送情報から、特定したグループに対応するお知らせ情報および背景画像情報を特定する。
【００３７】
表示情報生成部５４は、データ放送内容特定部５３で特定したデジタル表示情報の項目および抽出した観測情報、お知らせ情報、および背景画像情報と、ワンセグコンテンツ情報内の動画コンテンツ情報とから、ＢＭＬプログラムに基づいて表示情報を生成する。
【００３８】
表示部５５は、モニタであり、表示情報生成部５４で生成された表示情報を表示する。
【００３９】
〈一実施形態によるコンテンツ配信システムの動作〉
次に、本実施形態によるコンテンツ配信システム１により、ワンセグコンテンツ情報を配信して各携帯端末５０で表示するときの処理動作について図３のシーケンス図を参照して説明する。
【００４０】
まず、管理者により操作端末２０が用いられ、ワンセグ子局４０ごとの設置されている場所の緯度・経度情報およびそれぞれ該当するグループ情報を含むグループ分類情報と、これらのグループごとのデータ放送の表示情報項目と、グループごとの表示観測局情報と、グループごとの警報や注意報などの表示情報であるお知らせ情報と、グループごとのデータ放送の背景に用いる背景画像情報とが入力される。
【００４１】
操作端末２０から入力されたグループ分類情報、グループごとのデータ放送の表示情報項目、表示観測局情報、お知らせ情報、および背景画像情報は、コンテンツ配信装置１０に送信される。
【００４２】
コンテンツ配信装置１０では、操作端末２０から送信されたグループ分類情報およびグループごとのデータ放送の表示情報項目、表示観測局情報、お知らせ情報、および背景画像情報が設定情報取得部１１２で受信され（Ｓ１）、設定情報として設定情報記憶部１１３に記憶される（Ｓ２）。
【００４３】
設定情報記憶部１１３では、グループ分類情報は(a)グループ分類情報格納テーブルに格納され、グループごとのデータ放送の表示情報項目は(b)表示項目格納テーブルに格納され、グループごとの表示観測局情報は(c)表示観測局格納デーブルに格納され、グループごとのお知らせ情報は(d)お知らせ情報格納テーブルに格納されることで記憶される。これらの(a)グループ分類情報格納テーブル、(b)表示項目格納テーブル、(c)表示観測局格納デーブル、(d)お知らせ情報格納テーブルの一例を、図４に示す。
【００４４】
図４(a)はグループ分類情報格納テーブルの一例であり、ワンセグ子局４０−１〜４０−ｎの設置されている場所の緯度・経度情報が格納されるとともに、ワンセグ子局４０−１はグループ［１］に該当し、ワンセグ子局４０−２はグループ［２］に該当し、ワンセグ子局４０−ｎはグループ［ｎ］に該当することが格納されている。
【００４５】
また図４(b)は表示項目格納テーブルの一例であり、下記の表１に示す大項目の「河川に関する観測情報」および「道路に関する観測情報」の中の中項目および小項目から選択された項目が格納されている。
【表１】
2011055274.tif 000003
【００４６】
図４(b)においては、各グループのデータ放送が表Iおよび表IIの２つの表で表示される場合の情報が格納されており、グループ［１］の河川に関する観測情報を表示する表Iの中項目として「水位」、小項目(1)として「河川水位」、小項目(2)として「上昇下降」、表IIの中項目として「雨量」、小項目(1)として「１０分雨量」、小項目(2)として「時間雨量」が格納され、グループ［２］の河川に関する観測情報を表示する表Iの中項目として「ダム諸量」、小項目(1)として「貯水量」、小項目(2)として「放流量」、表IIの中項目として「水位」、小項目(1)として「河川水位」、小項目(2)として「上昇下降」が格納され、グループ［Ｎ］の道路に関する観測情報を表示する表Iの中項目として「規制」、小項目(1)として「路線名称」、表IIの中項目として「気温」、小項目(1)として「路面状態」が格納されている。
【００４７】
また図４(c)は表示観測局格納デーブルの一例であり、グループごとにデータ放送で表示対象となる観測局が「１」で示され、グループ［１］のデータ放送で表示対象となる観測局が観測局(1)および観測局(2)であり、グループ［２］のデータ放送で表示対象となる観測局が観測局(2)であり、グループ［Ｎ］のデータ放送で表示対象となる観測局が観測局(1)および観測局(2)である情報が格納されている。
【００４８】
また図４(d)はお知らせ情報格納テーブルの一例であり、グループごとにデータ放送で表示されるテキスト情報によるお知らせ情報が格納されており、グループ［１］のお知らせ情報として「○○○にご注意ください。」、グループ［２］のお知らせ情報として「×××にご注意ください。」、グループ［Ｎ］のお知らせ情報として「△△△にご注意ください。」が格納されている。
【００４９】
また、コンテンツ配信装置１０では、データ放送情報管理部１１の観測情報取得部１１４において、外部の複数の観測局に設置されたテレメータ等から、河川や道路に関する上記の表１の小項目に示す観測情報が、所定時間間隔（例えば１分間隔）で取得される（Ｓ３）。
【００５０】
次にコンテンツ配信装置１０のデータ放送情報管理部１１のデータ放送情報生成部１１５において、設定情報記憶部１１３に記憶されたグループ分類情報およびグループごとのデータ放送の表示情報項目、表示観測局情報、お知らせ情報、および背景画像情報と、観測情報取得部１１４において取得された最新の観測情報とから、データ放送を表示させるためのデータ放送情報が生成される（Ｓ４）。
【００５１】
データ放送情報生成部１１５において生成されたデータ放送情報の一例を、図５に示す。このデータ放送情報には、ＢＭＬプログラム記憶部１１１に記憶したＢＭＬプログラムと、設定情報記憶部１１３に記憶したグループ分類情報格納テーブル、表示項目格納テーブル、表示観測局格納テーブル、各グループの背景画像データ、およびお知らせ情報格納テーブルと、観測情報取得部１１４で取得した各観測局における各項目ごとの最新の観測情報とが含まれている。
【００５２】
一方、コンテンツ配信装置１０の動画情報取得部１２では、ＣＣＴＶ監視カメラにより撮影されたワンセグで放送するための動画コンテンツ情報が取得され、エンコード部１３においてワンセグ放送で規定された圧縮符号化方式であるＨ２６４方式でエンコードされる。
【００５３】
そして、コンテンツ配信装置１０のワンセグコンテンツ情報生成部１４において、エンコード部１３でエンコードされた動画コンテンツ情報およびデータ放送情報生成部１１５で生成されたデータ放送情報がワンセグ放送で配信するためＭＰＥＧ２−ＴＳフォーマットに変換され、ワンセグコンテンツ情報が生成される。生成されたワンセグコンテンツ情報はさらに、ＴＳ／ＩＰ変換部１５においてＩＰネットワーク３０に送出するためのフォーマットに変換され、ＩＰネットワーク３０を介して各ワンセグ子局４０−１〜４０−ｎにマルチキャスト配信される（Ｓ５）。
【００５４】
このようにしてコンテンツ配信装置１０からＩＰネットワーク３０を介して配信されたワンセグコンテンツ情報は、各ワンセグ子局４０−１〜４０−ｎにおいて取得される（Ｓ６）。
【００５５】
各ワンセグ子局４０−１〜４０−ｎにおいてワンセグコンテンツ情報が取得されると、まずＩＰ／ＴＳ変換装置４１においてＭＰＥＧ２−ＴＳフォーマットに変換され、さらにＯＦＤＭ変調器４２において設定された周波数、変調方式によりＲＦ信号に変調され、増幅器４３において所定の電力で配信するために増幅される。
【００５６】
このように信号処理されたワンセグコンテンツ情報は、アンテナ４４からワンセグ放送受信可能エリア内に放送電波として出力される（Ｓ７）。
【００５７】
ワンセグ子局４０−１〜４０−ｎの各アンテナ４４−１〜４４−ｎから出力されたワンセグコンテンツ情報は、それぞれワンセグ放送受信可能エリア内にある携帯端末５０−１〜５０−ｎにおいて所定のチャンネルに設定されることにより受信され、ワンセグコンテンツ情報取得部５２で取得される（Ｓ８）。また各携帯端末５０−１〜５０−ｎでは、ＧＰＳ情報取得部５１において予め設定された時間間隔で自身の携帯端末５０の現在位置情報（緯度・経度情報）が取得されている。
【００５８】
次に、各携帯端末５０−１〜５０−ｎのデータ放送内容特定部５３においてこのワンセグコンテンツ情報のデータ放送情報に含まれるグループ分類情報格納テーブルの緯度・経度情報が参照されて携帯端末のＧＰＳ情報取得部５１で取得された自携帯端末５０の現在位置に最も近いワンセグ子局４０が特定され、さらにグループ分類情報が参照されてこのワンセグ子局４０からワンセグ放送の電波を出力するエリアに該当するグループが特定される。
【００５９】
例えば、携帯端末５０−１のデータ放送内容特定部５３においては、図４(a)のグループ分類情報格納テーブルが参照されることにより、ＧＰＳ情報取得部５１で取得された時間間隔で自携帯端末５０の現在位置情報に最も近いワンセグ子局としてワンセグ子局４０−１が特定され、さらにこのワンセグ子局４０−１に該当するグループとしてグループ［１］が特定される。
【００６０】
自携帯端末５０の現在位置情報に最も近いワンセグ子局４０に該当するグループが特定されると、データ放送内容特定部５３においてさらにワンセグコンテンツ情報のデータ放送情報に含まれる表示項目格納テーブルが参照され、特定されたグループに該当する表示項目が特定される。
【００６１】
例えば、携帯端末５０−１のデータ放送内容特定部５３においては、図４(b)の表示項目格納テーブルが参照されることにより、グループ［１］の河川に関する観測情報を表示する表示項目として、表Iの中項目「水位」、小項目(1)「河川水位」、小項目(2)「上昇下降」、表IIの中項目「雨量」、小項目(1)「１０分雨量」、小項目(2)「時間雨量」が特定される。
【００６２】
特定されたグループに該当する表示項目が特定されると、データ放送内容特定部５３においてさらにワンセグコンテンツ情報のデータ放送情報に含まれる表示観測局格納テーブルが参照されて特定されたグループに該当する表示対象の観測局が特定され、データ放送情報の中から既に特定された表示項目のうち当該観測局で観測された情報が抽出される。
【００６３】
例えば、携帯端末５０−１のデータ放送内容特定部５３においては、図４(c)の表示観測局格納テーブルが参照されてグループ［１］の表示対象の観測局として観測局(1)および観測局(2)が特定され、データ放送の中から既に特定された河川に関する観測情報の中項目「水位」の小項目(1)「河川水位」、小項目(2)「上昇下降」、中項目「雨量」の小項目(1)「１０分雨量」、小項目(2)「時間雨量」の観測情報のうち観測局(1)および観測局(2)で観測された観測情報が抽出される。
【００６４】
またデータ放送内容特定部５３においてさらに、ワンセグコンテンツ情報のデータ放送情報に含まれるお知らせ情報格納テーブルが参照され、特定されたグループに該当する表示対象のお知らせ情報が特定される。
【００６５】
例えば、携帯端末５０−１のデータ放送内容特定部５３においては、図４(d)のお知らせ情報格納テーブルが参照されてグループ［１］の表示対象のお知らせ情報「○○○にご注意ください。」が特定される。
【００６６】
またデータ放送内容特定部５３においてさらに、ワンセグコンテンツ情報のデータ放送情報に含まれる背景画像情報の中から、特定されたグループに該当する背景画像情報が特定される（Ｓ９）。
【００６７】
このようにして観測情報が抽出され、またお知らせ情報および背景画像情報が特定されると、表示情報生成部５４においてデータ放送情報に含まれるＢＭＬプログラムに基づいて、これらの情報から表示情報が生成される（Ｓ１０）。生成された表示情報は、表示部５５に表示される（Ｓ１１）。
【００６８】
表示部５５に表示された表示情報の一例として、グループ［１］に該当する携帯端末５０−１の表示部５５に表示された表示情報を図６に示す。図６において表示部５５の表示画面５５０には、特定されたグループ［１］の背景画像情報に基づいて動画コンテンツ情報を表示する動画コンテンツ表示エリア５５１と、抽出した観測情報を表示する観測情報表示エリア５５２と、お知らせ情報を表示するお知らせ情報表示エリア５５３とが配置されて表示情報が表示されている。観測情報表示エリア５５２は、表Iを表示する表I表示エリア５５２ａと、表IIを表示する表II表示エリア５５２ｂとを有している。
【００６９】
表I表示エリア５５２ａには、グループ［１］の表Iに表示させる観測情報としてデータ放送内容特定部５３で抽出された、観測局(1)および観測局(2)の「水位」の「河川水位」および「上昇下降」の観測情報が表示される。
【００７０】
また、表II表示エリア５５２ｂには、グループ［１］の表IIに表示させる観測情報としてデータ放送内容特定部５３で抽出された、観測局(1)および観測局(2)の「雨量」の「１０分雨量」および「時間雨量」の観測情報が表示される。
【００７１】
また、お知らせ情報表示エリア５５３には、グループ［１］のお知らせ情報として特定された「○○○にご注意ください。」が表示される。
【００７２】
このようにしてデフォルト設定においては当該携帯端末５０に最も近いワンセグ子局４０に対応する表示内容が表示されるが、図６のように他のワンセグ子局４０に該当するグループを選択するための地域選択ボタン５５４を表示画面５５０に表示させ、ユーザによりこの地域選択ボタン５５４が操作されることにより、図７に示すように観測情報表示エリア５５２に他のワンセグ子局４０に該当するグループを選択するためのグループ選択ボタン５５２ｃ〜５５２ｅを表示させ、ユーザによりいずれかのグループ選択ボタンが操作されると、該当するグループの観測情報が観測情報表示エリア５５２に表示されるようにしてもよい。
【００７３】
また、コンテンツ配信装置１０のデータ放送情報管理部１１の観測情報取得部１１４においてさらに、各観測局に設置されているＣＣＴＶ監視カメラで撮影された映像から静止画像を所定時間間隔で取得してこれをワンセグコンテンツ情報に含めておくとともに、図６のように、特定されたグループに該当する観測局の静止画像を表示させるための静止画像ボタン５５５を表示画面５５０に表示させておくことで、ユーザによりこの静止画像ボタン５５５が操作されたときに、図８に示すように観測情報表示エリア５５２に当該携帯端末５０に最も近い観測局で撮影された静止画像が表示可能になるようにしてもよい。
【００７４】
以上説明したように、予めワンセグ放送を配信するエリアを複数のグループに分類し、このグループごとにデータ放送の表示内容を設定しておくことで、ワンセグ子局ごとにデータ放送の表示内容を設定することができ、また携帯端末でワンセグ放送を視聴するユーザは所定のチャンネルに設定する操作のみで現在位置に最も近い場所の観測情報のデータ放送を表示させることができる。
【００７５】
また本実施形態においては、携帯端末５０のデータ放送内容特定部５３において、ＧＰＳ情報取得部５１で取得した自携帯端末５０の位置に最も近いワンセグ子局４０を特定した後、この特定したワンセグ子局４０が該当するグループの表示情報の項目を特定する場合について説明したが、これには限定されず、緯度・経度情報に基づいて予めワンセグ放送を配信するエリア（ワンセグ放送受信可能エリア）を複数のグループに分類しておき、携帯端末５０のデータ放送内容特定部５３においてＧＰＳ情報取得部５１で取得した自携帯端末５０の位置に対応するグループを特定し、このグループのデジタル表示情報の項目を特定するようにしてもよい。
【符号の説明】
【００７６】
１…コンテンツ配信システム
１０…コンテンツ配信装置（ワンセグ親局）
１１…データ放送情報管理部
１２…動画情報取得部
１３…エンコード部
１４…ワンセグコンテンツ情報生成部
１５…ＴＳ／ＩＰ変換部
２０…操作端末
３０…ＩＰネットワーク
４０−１〜４０−ｎ…ワンセグ子局
４１…ＩＰ／ＴＳ変換装置
４２…ＯＦＤＭ変調器
４３…増幅器
４４…アンテナ
５０−１〜５０−ｎ…携帯端末
５１…ＧＰＳ情報取得部
５２…ワンセグコンテンツ情報取得部
５３…データ放送内容特定部
５４…表示情報生成部
５５…表示部
１１１…ＢＭＬプログラム記憶部
１１２…設定情報取得部
１１３…設定情報記憶部
１１４…観測情報取得部
１１５…データ放送情報生成部
５５０…表示画面
５５１…動画コンテンツ表示エリア
５５２…観測情報表示エリア
５５２ａ…表I表示エリア
５５２ｂ…表II表示エリア
５５２ｃ〜５５２ｅ…グループ選択ボタン
５５３…お知らせ情報表示エリア
５５４…地域選択ボタン
５５５…静止画像ボタン
【図１】
2011055274.tif 000004
【図２】
2011055274.tif 000005
【図３】
2011055274.tif 000006
【図４】
2011055274.tif 000007
【図５】
2011055274.tif 000008
【図６】
2011055274.tif 000009
【図７】
2011055274.tif 000010
【図８】
2011055274.tif 000011